(57)【要約】  内燃機関エンジンにおける内部排気ガス再循環（ｉＥＧＲ）のためのシステムおよび方法は、ロストモーション作動システムにおける排気弁の主イベントを食い込む二次吸気弁リフトイベントを利用することができる。二次吸気弁のリフトイベントは、排気弁の主イベントの開始時または終了時に発生する可能性がある。リセット構成要素を使用すると、吸気弁のリフトプロファイルが良好になり、これにより、ロストモーション構成要素で油圧リセットが実行され、吸気弁の二次リフトイベントが排気弁の主イベントの開始近くで最適に発生することが保証される。リセット構成要素は、例えば、排気ロッカー上のリセットパッドなどのトリガ構成要素によって、排気弁列からの運動を使用してトリガされてもよい。リセット構成要素は、吸気ロッカーアームの位置に基づいてトリガすることもでき、この場合、エンジンヘッドに固定された、または吸気ロッカーの運動に対して固定されたリセットパッドを簡単に使用することができる。【選択図】図３
2021516744.tif 000002
【特許請求の範囲】
【請求項１】
２つ以上のエンジン弁のうちの少なくとも１つを作動させて、内燃機関エンジン内に排気ガス再循環を提供するためのシステムであって、
排気弁運動源と、
前記排気弁運動源から少なくとも１つの排気弁に運動を伝達するための排気弁列と、
吸気弁運動源と、
前記吸気弁運動源から少なくとも１つの吸気弁に運動を伝達するための排気弁列と、
前記吸気弁列内の運動を選択的に吸収するための前記吸気吸気弁列内のロストモーション構成要素と、
前記ロストモーション構成要素と通信する制御流体回路と、
前記制御流体回路をリセットするためのリセット構成要素と、
前記リセット構成要素をトリガするためのリセットトリガと、を備える、システム。
【請求項２】
前記トリガ構成要素が、前記排気弁列と協働して関連付けられている、請求項１に記載のシステム。
【請求項３】
前記リセットトリガが、前記排気ロッカーと協働して関連付けられている、請求項１に記載のシステム。
【請求項４】
前記内燃機関エンジンが、シリンダヘッドを含み、前記リセットトリガが前記シリンダヘッドに対して固定されている、請求項１に記載のシステム。
【請求項５】
前記リセット構成要素が、ポペット弁を備える、請求項１に記載のシステム。
【請求項６】
前記リセット構成要素が、高流量を有するトリガされたベントを含む、請求項１に記載のシステム。
【請求項７】
前記リセット構成要素が、前記制御回路内の圧力を急速に低減するように適合されている、請求項１に記載のシステム。
【請求項８】
前記リセットトリガおよび前記リセット構成要素のうちの少なくとも１つが、特定の弁リフト高さに対応するようにリセットを設定するために調整されるように適合されている、請求項１に記載のシステム。
【請求項９】
前記ロストモーション構成要素が、前記吸気弁列の吸気ロッカーの弁側に配置されている、請求項１に記載のシステム。
【請求項１０】
前記ロストモーション構成要素が、前記吸気弁列の吸気ロッカーのカム側に配置されている、請求項１に記載のシステム。
【請求項１１】
前記ロストモーション構成要素が、前記吸気弁列の吸気ロッカーのボア内に配置されているピストンを備える、請求項１に記載のシステム。
【請求項１２】
前記ロストモーション構成要素が、付勢ばねをさらに備える、請求項１１に記載のシステム。
【請求項１３】
前記制御流体回路が、前記吸気ロッカー内の前記ボアと通信している、請求項１１に記載のシステム。
【請求項１４】
前記吸気弁列および前記排気弁列が、オーバーヘッドカムシステムを備える、請求項１に記載のシステム。
【請求項１５】
内燃機関エンジンにおいて排気ガス再循環を提供する方法であって、前記内燃機関エンジンが、排気弁運動源から少なくとも１つの排気弁に運動を伝達するための排気弁列と、吸気弁運動源と、吸気弁運動源から少なくとも１つの吸気弁に運動を伝達するための吸気弁列と、前記吸気弁列の運動を選択的に吸収するための前記吸気弁列のロストモーション構成要素と、前記ロストモーション構成要素と通信する制御流体回路と、前記制御流体回路をリセットするためのリセット構成要素と、前記リセット構成要素をトリガするためのリセットトリガと、を備え、前記方法が、
前記エンジンの主イベント動力サイクル中に前記排気弁を開放することと、
吸気弁を開放して、前記排気弁が開放している間に二次リフトイベントを引き起こすことと、
前記リセットトリガを操作して、前記排気弁の主イベント開放中に前記二次吸気弁のリフトを制御することと、を含む、方法。
【発明の詳細な説明】
【技術分野】
【０００１】
関連出願の相互参照
本出願は、２０１８年３月２６日に出願された、ＳＹＳＴＥＭ  ＡＮＤ  ＭＥＴＨＯＤ  ＦＯＲ  ＡＤＤＩＴＩＯＮＡＬ  ＩＮＴＡＫＥ  ＯＰＥＮＩＮＧ  ＦＯＲ  ＩＥＧＲと題された米国仮出願第６２／６４８，１０６号の優先権の利益を主張し、その主題は参照によりその全体が本明細書に組み込まれる。
【０００２】
本開示は、一般に、燃焼機関エンジンの排出を管理し、排ガス再循環を制御するためのシステムおよび方法に関する。より具体的には、本開示は、吸気マニホールドまたは排気マニホールドから燃焼チャンバへの残留排気ガスの流れを容易にするための１つ以上のエンジン弁を作動させるためのシステムおよび方法を含む、内部排気ガス再循環のためのシステムおよび方法に関する。
【背景技術】
【０００３】
内燃機関エンジンは、エンジン吸気弁および排気弁を制御するために弁作動システムに依存し、これにより、動作中の燃焼構成要素および生成物の流れの燃焼チャンバへの出入りを制御する。４ストローク動作サイクルにおいて、吸気弁は、シリンダ内で移動するピストンの吸気ストローク中に燃料および空気を拡張燃焼チャンバに入れるために開放される。圧縮ストロークでは、吸気弁が閉鎖され、燃焼構成要素がピストンによって圧縮される。次いで、圧縮された燃焼構成要素が点火され、ピストンの動力ストロークが引き起こされる。排気ストロークでは、排気弁が開かれ、ピストンがシリンダ内で変位すると、燃焼生成物がシリンダから漏出することを可能にする。この動作は、典型的にはエンジンの「正動力」動作と呼ばれ、正動力動作中に弁に適用される運動は、典型的には「主イベント」弁作動運動と呼ばれる。主イベント作動に加えて、エンジン弁作動システムは、エンジンブレーキ（動力吸収）、排気ガス再循環（ＥＧＲ）などの機能をサポートするための補助弁作動運動を容易にする特徴を含み得る。このような弁運動は、エンジン弁のうちの１つ以上に付与された「補助」イベントを使用して達成され得る。
【０００４】
弁の移動は、典型的には、運動源として１つ以上の回転カムによって制御される。弁列を形成し得るカムフォロア、プッシュロッド、ロッカーアーム、および他の要素は、カム表面から弁への直接的な動きの伝達を提供する。補助イベントについては、補助イベント弁の移動を容易にするために、「ロストモーション」デバイスまたは可変長アクチュエータが弁列に利用され得る。ロストモーションデバイスは、それぞれのカム表面単独による作動の結果として生じるであろう運動と比較して弁運動が修正される技術的解決策のクラスを指す。ロストモーションデバイスは、弁の主イベント動作に加えて、またはその代替として補助イベントの選択的な発生を容易にするために、長さ、剛性、または圧縮性が変化し、制御されるデバイスを含み得る。
【０００５】
ＥＧＲシステムは、典型的に、正動力動作中にエンジン燃焼チャンバに戻るために排気ガスの一部を提供する。燃焼中の燃焼チャンバ内の残留排気ガスの存在は、典型的には、エンジン排出量全体における窒素酸化物（ＮＯｘ）の濃度を低減し、エンジン動作において他の利点をもたらし得る。外部ＥＧＲ（ＥＥＧＲ）システムは、排気マニホールドまたは排気システムの他の部分と通信する１つ以上の外部通路を介して、排気ガスを燃焼チャンバに送り返し得る。内部ＥＧＲシステム（ｉＥＧＲ）は、典型的には、例えば、エンジンサイクル中の適切な時間に１つ以上のエンジン弁に適切な運動を提供することによって、外部導管を使用せずに、排気ガスを燃焼チャンバに導入することを提供する。このようなシステムは、４ストロークエンジンサイクルの排気イベント中の吸気弁の二次開口部および／または４ストロークエンジンサイクルの吸気部分中の排気弁の二次開口部を使用して、排気ガスの再循環を提供し得る。
【０００６】
ＳＡＥ技術論文９８０１０、１９９８年、Ｅｄｗａｒｄｓ、Ｓ．、Ｆｒａｎｋｌｅ、Ｇ．、Ｗｉｒｂｅｌｅｉｔ、Ｆ．およびＲａａｂ、Ａ．、（「Ｅｄｗａｒｄｓら」）による「Ｔｈｅ  Ｐｏｔｅｎｔｉａｌ  ｏｆ  ａ  Ｃｏｍｂｉｎｅｄ  Ｍｉｌｌｅｒ  Ｃｙｃｌｅ  ａｎｄ  Ｉｎｔｅｒｎａｌ  ＥＧＲ  Ｅｎｇｉｎｅ  ｏｆ  Ｆｕｔｕｒｅ  Ｈｅａｖｙ  Ｄｕｔｙ  Ｔｒｕｃｋ  Ａｐｐｌｉｃａｔｉｏｎｓ」に記載されているとおり、排気ガスの残存率は、二次排気弁のリフトイベントと二次吸気弁のリフトイベントで制御することができる。この刊行物は、クランクシャフト角度の関数として、エンジン動作サイクルにおけるシリンダ内およびポート圧力の変動を説明し、図式的に例示する。エンジン動作サイクルの３つの潜在的な段階は、ｉＥＧＲの機会を提示するものとして識別される。本刊行物は、残留排気ガスパーセンテージに関する二次排気弁リフトプロファイルおよび二次吸気弁リフトプロファイルの従来技術の結果をさらに説明する。これらの結果から、排気弁開放の開始付近にタイミングを合わせた追加の吸気イベントは、吸気中に排気開放イベントを使用するのと同等のＥＧＲレベルパーセンテージを提供することができることが知られている。
【０００７】
したがって、ｉＥＧＲのための２つの実行可能な方法は、排気弁主イベント運動中の二次吸気弁「バンプ」、および吸気弁主イベント運動中の二次排気弁「バンプ」を含む。それらは、同様のｉＥＧＲパーセンテージ（残留ガス比）を提供する。排気弁主イベント中の吸気弁のバンプは、燃焼したガスの吸気マニホールドへの逆流を生成し、吸気ガスと混合し、その後の主吸気ストローク中にエンジンシリンダに戻る。吸気弁主イベント中の排気弁バンプは、排気マニホールドからエンジンシリンダへの燃焼ガスの逆流を生成する。
【０００８】
既知のｉＥＧＲシステムおよび方法は、弁の動作を提供するために専用の機器を必要とし、したがってコストを増加させる。したがって、前述の欠点および先行技術における他の欠点に対処するシステムを提供することが有利であろう。
【発明の概要】
【０００９】
前述の課題に対応して、本開示は、エンジン動作サイクルの適切な時間に開閉を含む弁の二次運動を促進して上記の利点を達成することによってｉＥＧＲを実装するために使用することができる弁作動システムの様々な実施形態を提供する。
【００１０】
ある態様によれば、本開示は、ｉＥＧＲを達成するために、ロストモーション弁作動システムにおける排気弁主イベントの間またはそれに一時的に近接する二次吸気弁リフトイベントのオン／オフ制御を提供するためのシステムを説明する。二次吸気弁のリフトイベントは、排気弁の主イベントの開始時または終了時に発生する可能性がある。好ましい吸気弁リフトプロファイルは、吸気弁列内のロストモーションカムプロファイルおよびロストモーション構成要素を、リセット構成要素と組み合わせて使用することによって得られる。ロストモーションカムプロファイルは、従来のカムと実質的に同じ主イベントリフトプロファイル、および従来のカムのベースサークルの下の二次リフトプロファイルを有し得る。ロストモーション構成要素が折りたたまれると、ロストモーションカムプロファイルは、主イベント運動のみを吸気弁に送る。ロストモーション構成要素が拡張されると、ロストモーションカムプロファイルは、エンジン動作サイクルの適切な時間に、吸気弁のための二次リフトイベントの少なくとも開口部分を提供し得る。ロストモーション構成要素に対して油圧リセットを実施し得るリセット構成要素は、上述の所望の二次吸気リフトプロファイルならびに通常の吸気主イベント閉鎖プロファイルを達成するために、エンジンサイクル中にロストモーション構成要素を適切な時間折りたたむ。リセット構成要素は、例えば、排気ロッカー上のリセットパッドなどのトリガ構成要素によって、排気弁列からの運動を使用してトリガされてもよい。リセット構成要素はまた、吸気ロッカーアーム位置に基づいてトリガされてもよく、この場合、固定リセットパッドが使用されてもよい。
【００１１】
一態様によれば、本開示は、内燃機関エンジンにおいて排気ガス再循環を提供するために２つ以上のエンジン弁のうちの少なくとも１つを作動させるためのシステムであって、排気弁運動源と、排気弁運動源から少なくとも１つの排気弁に運動を伝達するための排気弁列と、吸気弁運動源と、吸気弁運動源から少なくとも１つの吸気弁に運動を伝達するための吸気弁列と、吸気弁列の運動を選択的に吸収するための吸気弁列のロストモーション構成要素と、ロストモーション構成要素と通信する制御流体回路と、制御流体回路をリセットするためのリセット構成要素と、リセット構成要素をトリガするためのリセットトリガと、を備える、システムを記載している。リセットは、吸気ロッカーまたは吸気弁の角度または位置によってトリガされ得る。
【００１２】
ある態様によれば、本開示は、２つ以上のエンジン弁のうちの少なくとも１つを動作させるための方法を説明する。内燃機関エンジンにおいて、排気弁運動源から少なくとも１つの排気弁に運動を伝達するための排気弁列と、吸気弁運動源と、吸気弁運動源から少なくとも１つの吸気弁に運動を伝達するための吸気弁列と、吸気弁列の運動を選択的に吸収するための吸気弁列のロストモーション構成要素と、ロストモーション構成要素と通信する制御流体回路と、制御流体回路をリセットするためのリセット構成要素と、リセット構成要素をトリガするためのリセットトリガと、を備え、本開示による方法は、エンジンの主イベント動力サイクル中に排気弁を開放することと、吸気弁を開放して、排気弁が開放している間に二次リフトイベントを引き起こすことと、リセットトリガを動作させて、排気弁の主イベントを開放している間に二次吸気弁のリフトを制御することと、を含む。
【００１３】
本開示の他の態様および利点は、以下の詳細な説明から当業者に明らかであり、上記の態様は網羅的または限定的とみなされるべきではない。前述の概要および以下の詳細な説明は、本開示の発明の態様の例を提供することが意図され、決して、添付の特許請求の範囲に定義される範囲を制限または限定するものと解釈されるべきではない。
【図面の簡単な説明】
【００１４】
本発明の上記および他の付随する利点および特徴は、以下の詳細な説明から、添付の図面とともに明らかとなり、これらの図面では同様の参照番号は、全体を通して同様の要素を表す。説明および実施形態は、本開示の態様による例示的実施例として意図され、本明細書に添付される特許請求の範囲に記載される本発明の範囲を限定することが意図されないことを理解されたい。
【００１５】
【図１】本開示の態様に従って達成され得るような排気および吸気弁の主イベントリフトプロファイル、ならびに排気弁の主イベント運動の終わり近くのｉＥＧＲ二次吸気弁リフトプロファイルを示すクランク角度の関数としての弁リフトの図式的表現である。これらのプロファイルは、許容誤差が緩やかで高主イベントの吸気リフトで発生する高さベースのリセットの特性であり、弁対ピストンのクリアランスを大きくする必要がある場合がある。
【００１６】
【図２】本開示の態様に従って達成され得るような排気および吸気弁の主イベントリフトプロファイル、ならびに排気弁の主イベント運動の始まりでのｉＥＧＲ二次吸気弁リフトプロファイルを示すクランク角度の関数としての弁リフトの図式的表現である。これらのプロファイルは、許容誤差が緩やかで高主イベントの吸気リフトで発生する高さベースのリセットの特性であり、弁対ピストンのクリアランスを大きくする必要がある場合がある。
【００１７】
【図３】本開示の態様による排気弁列の運動を利用して吸気ロッカーロストモーション構成要素のリセットをトリガするｉＥＧＲシステムの例示的な実施形態の概略図である。
【００１８】
【図４】図３の例示的な実施形態の特徴である二次吸気弁リフトイベントを示すクランク角度の関数としての弁リフトの図式的表現である。
【００１９】
【図５】本開示の態様による、吸気ロッカー角度に基づく吸気ロッカーロストモーション構成要素のリセットをトリガするために固定要素を利用するｉＥＧＲシステムの実施形態例の概略図である。
【００２０】
【図６】図５の例示的な実施形態の特徴である二次吸気弁リフトイベントを示すクランク角度の関数としての弁リフトの図式的表現である。これらのプロファイルは、リフトが低く、厳しい許容差が必要な高さベースのリセットの特徴であり得る。
【００２１】
【図７】図５の例示的な実施形態の特徴であり、流出ポート開放イベントを示す二次吸気弁リフトイベントを示すクランク角度の関数としての弁リフトの図式的表現である。
【００２２】
【図８】エンジン環境中のエンジンブレーキを有する、ロストモーション構成要素を有する吸気ロッカー、リセット構成要素、および排気ロッカーを含み、排気ロッカーに関連付けられたロストモーション構成要素リセットリガを含むｉＥＧＲシステムの等角図である。
【００２３】
【図９】図８に描写される吸気ロッカーの等角的詳細図である。
【００２４】
【図１０】図８の吸気ロッカーの断面であり、その中のロストモーション構成要素への制御流体供給通路を示す。
【００２５】
【図１１】リセット構成要素へのリセット制御流体通路を示す、図８の吸気ロッカーの断面である。
【００２６】
【図１２】リセット構成要素の詳細を示す図８の吸気ロッカーの断面である。
【００２７】
【図１３】リセット構成要素が押下または作動する主イベントピークリセット位置における図８のｉＥＧＲシステムの等角図である。
【図１３．１】図１３の吸気ロッカー内のリセット構成要素の詳細な断面図である。
【００２８】
【図１４】ラッシュ設定構成の図８のｉＥＧＲシステムの等角図である。
【００２９】
【図１５】リセット構成要素が吸気ロッカーの弁側に配置される代替実施形態によるｉＥＧＲシステムの等角図である。
【００３０】
【図１６】図１５のシステムに示される吸気ロッカーの等角図である。
【００３１】
【図１７】図１５のシステムに示される排気ロッカーの等角図である。
【発明を実施するための形態】
【００３２】
図１は、本開示の態様に従って、吸気弁高さベースのリセットによって達成され得るような排気弁主イベント運動の終わり付近の排気および吸気主イベントリフトプロファイルならびにｉＥＧＲ二次吸気弁リフトプロファイルを示す。これは、ブリッジブレーキ構成など、吸気弁の弁高さに基づくリセットを利用するロストモーションシステムで実装することができ、その例は、Ｊａｃｏｂｓ  Ｖｅｈｉｃｌｅ  Ｓｙｓｔｅｍｓ、Ｉｎｃ．に譲渡された米国特許第８，５７８，９０１号（Ｒｕｇｇｉｅｒｏら）に記載されている。グラフは、代表的な弁対ピストンのクリアランスのための許容なエンジンバルブリフトを示す、排気弁の主イベントプロファイル１１０、吸気弁の主イベントプロファイル１２０、およびエンジンのピストン変位プロファイル１３０を描写している。クランクシャフト角度の関数としてのこれらの要素の位置（リフト）は、それらのそれぞれのプロファイルを定義する。ロストモーションカムプロファイルは、概して１２２で参照されるサブベースサークル特徴を含み、上記のように、Ｅｄｗａｒｄｓらによって識別されるものなどの遅延吸気ｉＥＧＲリフトプロファイルを提供し得る。この曲線は、吸気弁列のロストモーション構成要素が無効化されると失われるカムリフトを表す（「ｉＥＧＲオフ」）。本開示の一態様によれば、ｉＥＧＲシステムは、吸気弁列内（すなわち、吸気ロッカー内）のロストモーション構成要素に関連付けられた制御流体回路内で、１５０で表される流出ポートの開放によって、弁の高さに基づくリセットを提供し得る。プロファイルは、リフトイベント１４２部分から吸気弁主イベントプロファイル１２０に延在する遷移部分１４４を含んでもよい。１４４から主イベント１２０への遷移は、制御流体回路からの油圧流体の流出に起因し、ロストモーション要素のリセットをもたらす。ピストン変位プロファイル１３０との遷移部分１４４の重複は、ピストン内で機械加工されたポケットで対処され得、弁からピストンのクリアランスを維持するために、吸気弁位置と一致する。認識されるように、この構成では、吸気弁運動のリセットは、ｉＥＧＲリフトイベント部分１４２のちょうど上方から開始され得、特定の高さに制御され得る。認識されるように、この構成は、完全なリセットを達成するために比較的高い吸気弁リフトを必要とする場合がある。例えば、完全なリセットを達成するために、ロストモーションピークリフトの約２倍の吸気弁リフトが必要とされ得る。
【００３３】
図２は、本開示の態様に従った吸気弁高さベースのリセットで達成され得る、排気弁主イベント運動の開始時の排気および吸気主イベントリフトプロファイルならびにｉＥＧＲ二次吸気弁リフトプロファイルを示す。ロストモーションカムプロファイルは、ｉＥＧＲバンプを提供するために一般に２２２で参照されるサブベースサークル特徴を含み得る。この曲線は、吸気弁列のロストモーション構成要素が無効化されると失われるカムリフトを表す（「ｉＥＧＲオフ」）。この例では、弁の高さに基づくリセットは、上記のようにＥｄｗａｒｄｓらによって識別された早期吸気ｉＥＧＲリフトプロファイルの領域で吸気ｉＥＧＲイベントを提供し得る。図１と同様に、これは、ブリッジブレーキ構成などの吸気弁上の弁の高さに基づくリセットを利用するロストモーションシステムにおいて実装され得る。本開示の一態様によれば、ｉＥＧＲシステムは、吸気弁列内（すなわち、吸気ロッカー内）のロストモーション構成要素に関連付けられた制御流体回路内で、２５０で表される流出ポートの開放によって、弁の高さに基づくリセットを提供し得る。認識されるように、このシステムは、異なるロストモーションカムプロファイルが使用され得ることを除いて、図１に描写されるものと同様である。グラフは、排気弁主イベントプロファイル２１０、吸気弁主イベントプロファイル２２０、およびピストン変位プロファイル２３０を描写する。クランクシャフト角度の関数としてのこれらの要素の位置（リフト）は、それらのそれぞれのプロファイルを定義する。ｉＥＧＲシステムは、ｉＥＧＲ吸気弁二次リフトイベント２４２部分を含み得る、一般に２４０によって参照されるｉＥＧＲ吸気弁二次リフトプロファイルによって特徴付けられる弁高さベースのリセットを提供し得る。プロファイルは、リフトイベント２４２部分から吸気弁主イベントプロファイル２２０に延在する遷移部分２４４を含んでもよい。図１の構成と同様に、ピストン変位プロファイル２３０との遷移部分２４４の重複は、ピストン内で機械加工されたポケットで対処されてもよく、弁からピストンクリアランスを維持するために、吸気弁位置と一致することが提供されてもよい。この構成は、排気主イベントリフトの開始時に二次吸気イベントを伴うことで、吸気弁のリフト高さが低いときのＥＧＲ流量を改善することができる。しかし、早期開放のため、吸気主イベントリフトの開始時にも流量の戻りが発生する可能性がある。エンジンシリンダから吸気ポートへの逆流は、開放が早期かその後かにかかわらず、ｉＥＧＲシステムの典型であることに留意されたい。さらに、図２に示されるように、ピストンクリアランス間の弁は、上部死点（ＴＤＣ）における吸気弁の約２ｍｍ高い開口部を収容する必要があり得る。
【００３４】
図３は、本開示の態様による排気運動を利用して吸気ロッカーロストモーション構成要素のリセットをトリガするｉＥＧＲシステムの例示的な実施形態の概略図である。吸気ロッカー３００および排気ロッカー３５０は、ロッカーシャフト３８０上に枢動可能に取り付けられ得る。排気ロッカー３５０は、吸気ロッカー３００によって図３の視野から部分的に隠されている。吸気ロッカー３００は、吸気弁列の一部であってもよく、吸気ロッカー３００の運動源側内に配置される、それと関連付けられたプッシュロッド付勢アセンブリ３９２を有するプッシュロッド３９０、および付勢スプリング３１２を有する調整可能な付勢ねじアセンブリ３１０を含み得る。プッシュロッド３９０および吸気弁列の他の構成要素は、カム３９４などの吸気運動源によってそこに付与される運動を受け得る。カム３９４は、ｉＥＧＲローブ３９８を含むロストモーションカムプロファイルを有し得る。主イベントの前にドウェルを備えた吸気弁を早期に開き、排気ベースのリセットを提供するフロントポーチサブベースサークル機能を備えたロストモーションカムプロファイルは、上記のようにＥｄｗａｒｄｓらによって識別された早期吸気ＩＥＧＲリフトプロファイルの領域に吸気ＩＥＧＲプロファイルを提供することができる。ロストモーション構成要素３２０は、吸気ロッカー３００の運動受容構成要素側に配置されてもよく、吸気弁プッシュロッドまたは吸気弁ステム３９６などの運動受容構成要素に運動を付与してよい。
【００３５】
吸気ロッカー３００は、ロストモーション構成要素３２０を制御するための制御流体（油圧）回路３３０の一部を含んでもよい。油圧回路３３０は、ロッカーシャフト内に制御流体源通路３８２を含んでもよく、これは、ロストモーション構成要素３２０の状態を制御するために、吸気ロッカー３００の内部内にロストモーション制御流体ボア３２２に延在するロッカー制御通路３８４と流体連通する。一実施形態では、ロストモーション構成要素３２０は、ボア３２２内に摺動可能に配置されたピストン３２４と、付勢ばね３２６とをさらに備える。ボア３２２が油圧流体で満たされていないとき（すなわち、加圧された油圧流体が制御流体源通路３８２を介してロッカー制御通路３８４に提供されていないとき）、ピストン３２４は、ボア３２２内に後退することができ、これにより、弁列全体の長さが短縮され、主イベント運動以外の運動の伝達が防止される。一方、ボア３２２に油圧流体が充填されると、以下でさらに詳細に説明するように、リセットが発生する時間まで、カム３９４によって提供されるすべての運動（主イベントおよび補助イベント）がロッカーアーム３００によってエンジン弁３９６に伝達されるように、ピストン３２４は、ボア３２２から延在する。
【００３６】
本開示の態様によれば、リセット構成要素３４０は、上記で考察されるｉＥＧＲ運動に従って吸気弁運動のリセットを達成するために、ロストモーション構成要素３２０のリセットを容易にするように、油圧回路３３０と通信して提供される。リセット構成要素３４０は、吸気ロッカー３００内に形成され、ポペットまたはテーパー弁３４４によって占有されるレリーフまたは流出ポート３４２を含み得る。ポペット弁は、対応する形状の弁座３４８内に座るテーパヘッド部分３４６を含むことができる。ポペット弁３４４のステム３４７は、流出ポート３４２内に延在し、リセット動作中に制御流体の漏出を可能にするために、それと共に環状通路を形成する。ステム３４７は、ロッカーアームから延在し、ポペット弁を閉鎖位置に付勢するためのコイルばね３４１およびＣクリップ３４３などの付勢アセンブリを有し得る。したがって、弁ステム３４７の端部は、ロッカーアーム３５０から突出し、それによって、それが排気ロッカー３５０上のリセットトリガ構成要素３６０によって係合され得るように延在するリセットアクチュエータとして機能する。ロッカー制御通路３８４内の逆止弁３８６は、制御流体の逆流を防止し、制御流体がリセット動作中にリセット構成要素３４０を介して漏出することを保証する。
【００３７】
排気ロッカー３５０は、排気弁列の一部であってよく、それらの残りの構成要素は、図３において明確にするために、この図では省略される。排気弁列は、カム（図３には示されない）を含み得る排気運動源によってそこに付与される運動を受けてもよい。本開示の態様によれば、調整可能なリセットトリガ構成要素３６０は、排気ロッカー運動および吸気ロッカー運動がリセットトリガ３６０をリセットアクチュエータと接触させるとき、吸気ロッカー上のリセット構成要素３４０のリセットアクチュエータを係合およびトリガするために、排気弁ロッカー３５０に固定され得る。リセットトリガ３６０は、リセットパッド３５４と協働する止めねじ３６２を含んでもよく、リセットパッドは、運動の排気ロッカー面に直交する方向（すなわち、図３のページから外側）に排気ロッカー３５０から延在する。止めねじ３６２は、好ましくは、止めねじ３６２が排気ロッカーと共に移動する（すなわち、往復運動する）につれて、リセットの作動を確実にするために、リセット構成要素３４０上のリセットアクチュエータと整列される。
【００３８】
動作中、ボア３２２が油圧流体で充填され、リセットがトリガされると、ロストモーション構成要素３２０のピストン３２４は、エンジン弁３９６上の弁ばね（図示せず）によって装填され、したがって、制御流体ボア３２２内に圧力を生成する。したがって、リセット構成要素３４０がトリガされると、制御流体は、ボア３２２および油圧回路３３０からポート３４２を介して、ロッカーの外部に、または制御された流れ通路を介して供給源に戻るように通気する。認識されるように、理想的なリセット動作のために、リセット構成要素３４０の適切な流れ特性が選択され得る。さらに、適切なカムドウェルは、吸気弁主イベントが発生する前にリセット構成要素が再充填されないことを保証するために提供され得る。ボア３２２から油圧流体を排出すると、ピストン３２４は、エンジン弁ばねの負荷下でボア３２２内に素早く後退し、それによって、ロストモーション構成要素３２０の拡張によって拾われたであろう任意の運動を効果的に失う。
【００３９】
図４は、図３に関して上述した例示的な排気運動トリガ実施形態の特徴である二次吸気弁リフトイベントを示すクランク角度の関数として、弁リフトを図式的に表す。排気運動トリガを使用して、二次吸気弁リフトイベントは、二次リフト部分４１０、ピーク４１２およびリセットトリガ点４１４、ならびに遷移部分４１６を含むプロファイル４００を有し得る。リセットトリガ点は、水平ライン４２０によって表されるように、約６ｍｍの対応する排気弁リフトを有する約１８０度のクランクシャフト角度で発生し得る。リセットは、クランクシャフトの約３００度の回転で終了し得る。認識されるように、吸気口にロストモーション２弁開口ロッカーブレーキを使用し、排気ロッカーリフトを使用してリセットをトリガすることで、吸気弁の早期開放を必要とせずに、排気主イベントの開始時にｉＥＧＲバンプを提供することができる。排気中にドウェルを有するカムは、完全に再閉鎖するまでリセットされる。リセットは、吸気リフトと角度とは独立した排気リフトによってトリガされる。認識されるように、排気ロッカー運動で達成される高いリフトは、リセット構成要素成分組成部品における厳密な許容差の必要性を低減する。加えて、排気ロッカー運動の使用は、高流量を達成し、主イベント吸気開放の前に弁運動を迅速にリセットするために、リセット構成要素の十分に高いリフトを保証し得る。
【００４０】
図５は、ロッカーアームの角度位置（すなわち、リフト角）に基づいてリセットを提供する、固定位置リセットトリガを利用するｉＥＧＲシステムの別の実施形態例の概略図である。本開示の態様によれば、リセット構成要素５４０は、上記で考察されるｉＥＧＲ運動に従って吸気弁運動リセットを達成するために、ロストモーション構成要素５２０のリセットを実現するために、油圧回路５３０と通信して提供される。一実施形態では、ロストモーション構成要素５２０は、ボア５２２および付勢ばね５２６の中に摺動可能に配置されたピストン５２４をさらに備える。リセット構成要素５４０は、吸気ロッカー５００内に形成され、ポペットまたはテーパー弁５４４によって占有されるリリーフポートまたは流出ポート５４２を含んでよい。ポペット弁は、対応する形状の弁座５４８内に座るテーパヘッド部分５４６を含むことができる。ポペット弁５４４のステム５４７は、流出ポート５４２内に延在し、リセット動作中に制御流体の漏出を可能にするために、それと共に環状通路を形成する。ステム５４７は、ロッカーアームから延在し、ポペット弁を閉鎖位置に付勢するためのコイルばね５４１およびＣクリップ５４３などの付勢アセンブリを有し得る。したがって、弁ステム５４７の端部は、ロッカーアーム５５０から突出し、それによって、エンジンヘッドに対してまたはロッカー運動に対して固定されるリセットパッドであり得る固定リセットトリガ構成要素５６０によって係合され得るように延在するリセットアクチュエータとして機能する。したがって、吸気ロッカー５００の角度位置に基づいてリセットが発生する。ロッカー制御通路５８４内の逆止弁５８６は、制御流体の逆流を防止し、制御流体が、リセット動作中にリセット構成要素５４０を介して漏出することを保証する。プッシュロッド５９０および吸気弁列の他の構成要素は、カム５９４などの吸気運動源によってそこに付与される運動を受け得る。カム５９４は、ｉＥＧＲローブ５９８を含むロストモーションカムプロファイルを有し得る。主イベントの前にドウェルを備えた吸気弁を早期に開き、排気ベースのリセットを提供する機能を備えたロストモーションカムプロファイルは、上記のようにＥｄｗａｒｄｓらによって識別された早期吸気ＩＥＧＲリフトプロファイルの領域に吸気ＩＥＧＲプロファイルを提供することができる。ロストモーション構成要素５２０は、吸気ロッカー５００の運動受容構成要素側に配置されてもよく、吸気弁プッシュロッドまたは吸気弁ステム５９６などの運動受容構成要素に運動を付与してよい。
【００４１】
図６は、図５に関して上述した例示的な排気運動トリガ実施形態の特徴である二次吸気弁リフトイベントを示すクランク角度の関数として、弁リフトを図式的に表す。ロストモーションカムプロファイルは、概して６２２で参照されるサブベースサークル特徴を含み、上記のように、Ｅｄｗａｒｄｓらによって識別されるものなどの早期吸気ＩＥＧＲリフトプロファイルまたは遅延吸気ＩＥＧＲリフトプロファイルのいずれかを提供し得る。この曲線は、吸気弁列のロストモーション構成要素が無効化されると失われるカムリフトを表す（「ｉＥＧＲオフ」）。吸気ロッカーの角度位置に基づいたトリガを使用して、二次吸気弁リフトイベントは、二次リフト部分６１０、ピーク６１２、およびリセットトリガ点６１４を含むプロファイル６００を有し得る。水平ライン６２０によって表されるように、吸気ロッカーが、吸気弁リフトの約２ｍｍに対応する角度位置に回転すると、ロッカーアームの下側のポペット弁リセットアクチュエータは、シリンダヘッド上のリセットパッド５６０（図５）と接触し、流出ポートを開放する。カムドウェル中、アクチュエータピストンは後退し、弁が再び閉鎖するまで回路内のオイルをリセットする。リセット位置は、それが機能することを保証し、より高いリフト主イベントが開始するまでリセットが遅延するのを防ぐために厳密に制御され得る。
【００４２】
図７は、図５の例示的な実施形態の特徴であり、流出ポート開放イベントを示す二次吸気弁リフトイベントを示すクランク角度の関数としての弁リフトの図式的表現である。この図は、明確化のためにバックグラウンドプロファイルが排除されたことを除いて、実質的には図６と同様である。
【００４３】
図８〜１４は、追加の利点を有する、かかる用途に好適なシステムを例示する。図８は、ロストモーション構成要素８２０およびリセット構成要素アセンブリ８４０を有する吸気ロッカーを利用するｉＥＧＲのためのシステム８１０の等角図である。吸気ロッカー８００および排気ロッカー８５０は、ロッカーシャフト８８０上に配置される。吸気ロッカー８００は、リセット構成要素アセンブリ８４０を収容するためにその中に形成されるリセット構成要素ハウジング８１０を含む。この配列に関して認識されるように、リセットがトリガされると、アクチュエータピストンがプッシュロッド側にあるため、ロッカーはカムに向かって戻る。この動作は、リセット弁をさらに押し下げ、したがって、より迅速なリセットをもたらす。
【００４４】
ロストモーション吸気ロッカー８００は、リセットラッシュ設定ねじ機能を有するリセット構成要素アセンブリ８４０を含んでもよい。図１０および１１は、制御流体または油圧回路の一部を構成する吸気ロッカー内の内部制御流体通路を示す。制御流体通路８８４（図１０）は、ロッカーシャフトジャーナルから、ロストモーション構成要素制御流体ボア８２２に延在する。逆流を防止するために、逆止弁８８６が制御流体通路内に配置され得る。潤滑通路８３０は、潤滑流体がロストモーションを提供せず、往復運動しているときに、ロストモーション構成要素ピストン８２３に潤滑流体を提供し得る。
【００４５】
図１１は、ロストモーション構成要素制御流体ボア８２２からリセット構成要素アセンブリ８４０までリセット構成要素ハウジング８１０内に延在するリセット通路８２４を示す部分断面図である。図１２をさらに参照すると、リセット構成要素アセンブリ８４０は、その端部に画定された出口ポート８４２および内部ハウジングボア８４３を有する概ね円筒形のハウジング８４１を含み得る。ハウジングボア８４３は、リセット通路８２４と流体連通しており、弁座８４７に対してばね８４６によって付勢される、ポペット８４５を有するポペット弁８４４を含有する。ねじ付きばね保持装置８４８は、出口ポート８４２と反対側の端部でハウジング８４１内に調節可能に固定されて、ポペット弁８４４上の付勢力を調節することができる。
【００４６】
図１３および１３．１は、リセット構成要素８４０のトリガまたはリセット押下位置を示す。図１３において、排気ロッカー８５０の排気主イベントピーク位置の間、吸気ロッカーに向かって排気ロッカー８５０から離れて延在するリセットパッド８５４は、ポペット弁８４４の端部に接触し得る。図１３．１にさらに詳細に記載されるように、この接触は、ポペット８４５を弁座８４７から持ち上げ、それによって制御流体がリセット構成要素から流れることを可能にし、したがって、ロストモーション構成要素８２０をリセットさせる。
【００４７】
図１４は、ラッシュセットを有するリセット構成要素を有するベースサークル上の吸気ロッカー８００を示す。ラッシュは、ハウジングの外面とねじ込み可能に係合され得るねじ式ロックナット８６０を使用して設定され得る。ラッシュは、ポペット弁８４４の端部とリセットパッド８５４との間に設定され得る。リセット構成要素８４０は、ねじ付きハウジング８４１にしっかりと固定されることを意図したねじ付きばねストップ８４８内の内部六角によって上下に調整することができる。ハウジング８４１を上下に移動させることによって、正確な高さ、したがってリセットがトリガされる角度を、ｉＥＧＲ弁の所望の閉鎖を達成するように設定することができる。ｉＥＧＲ閉鎖のバラツキは、ＮＯｘの理想的な制御に必要なパラメータ以外のｉＥＧＲ流量バラツキを引き起こす可能性がある。アセンブリの所望の高さを設定した後、ジャムまたはロックナット８６０を締めて、構成要素を所定の位置にロックする。
【００４８】
上記の図８〜１４の実施形態で達成される吸気リフトプロファイルは、図４に描写されているものと同じである。
【００４９】
図１５〜１７は、本開示の態様に従ってｉＥＧＲを達成するための別の例示的なシステムを示す。この実施形態において、吸気ロッカー１５００は、吸気ロッカーの弁側にリセット構成要素ハウジング１５１０を含んでもよい。図１６は、リセット構成要素ハウジング１５１０およびそこから延在するリセットピンまたはトリガの配向をさらに示す。図１５および１７において見ることができるように、リセットアーム１５５４は、ねじ付き止め具によって排気ロッカー１５５０に固定されてもよい。ロックナット１５５８を有する止めねじ１５５６は、リセットのタイミングおよびリフト制御のために必要に応じてラッシュ設定を可能にするために提供され得る。このバージョンでは、アクチュエータピストンも弁側にある。認識されるように、リセットがトリップされると、ロッカーは、カムに向かって後ろに回転しないため、リセットのストロークは、排気主イベント運動によってのみ駆動される。これは、ロッカー角度がリセット中に一定に保持される高さベースのリセットシステムに適する。
【００５０】
前述の開示から認識されるように、排気弁主イベントの開始付近の追加の吸気開放イベントは、３５％の範囲のＥＧＲ率を達成するための実行可能な方法である。
【００５１】
認識されるように、上述のシステムは、ｉＥＧＲを実施する方法に従って動作し得る。本開示の態様による方法は、内燃機関エンジンにおいて排気ガス再循環を提供するステップを含み得、内燃機関エンジンは、排気弁運動源から少なくとも１つの排気弁に運動を伝達するための排気弁列と、吸気弁運動源と、吸気弁運動源から少なくとも１つの吸気弁に運動を伝達するための吸気弁列と、吸気弁列の運動を選択的に吸収するための吸気弁列のロストモーション構成要素と、ロストモーション構成要素と通信する制御流体回路と、制御流体回路をリセットするためのリセット構成要素と、リセット構成要素をトリガするためのリセットトリガと、を備え、方法は、下記を含み、方法は、エンジンの主イベントの動力サイクル中に排気弁を開放することと、吸気弁を開放して、排気弁が開放している間に二次リフトイベントを引き起こすことと、リセットトリガを動作させて、排気弁の主イベントを開放している間に二次吸気弁のリフトを制御することと、を含む。
【００５２】
本実施態様は、特定の例示的実施形態を参照して説明されてきたが、特許請求の範囲に記載される本発明のより広範な趣旨および範囲から逸脱することなく、これらの実施形態に様々な修正および変更が行われ得ることは明らかであろう。したがって、明細書および図面は、制限的な意味よりもむしろ例示的な意味に考慮されるべきである。
【図１】
2021516744.tif 000003
【図２】
2021516744.tif 000004
【図３】
2021516744.tif 000005
【図４】
2021516744.tif 000006
【図５】
2021516744.tif 000007
【図６】
2021516744.tif 000008
【図７】
2021516744.tif 000009
【図８】
2021516744.tif 000010
【図９】
2021516744.tif 000011
【図１０】
2021516744.tif 000012
【図１１】
2021516744.tif 000013
【図１２】
2021516744.tif 000014
【図１３】
2021516744.tif 000015
【図１３−１】
2021516744.tif 000016
【図１４】
2021516744.tif 000017
【図１５】
2021516744.tif 000018
【図１６】
2021516744.tif 000019
【図１７】
2021516744.tif 000020
【国際調査報告】
2021516744.tif 000021
2021516744.tif 000022